(57)【要約】【課題】住宅のリフォーム用ドアを既存の開口枠に沿わせ施行コストと施行期間を低減できるキットドアを提供することを目的としている。【解決手段】多数のパーツに分割されたキットドアであり、パネル１、框２、モール３、エッジ材４等からなっており、その各パーツを既存の框枠寸法に合うよう現場でカットし、これらを組付けて接合一体化せしめキットドアを完成する。これにより現場にて職人が現場に沿ってぴったりと合ったドアを取付け形成できる。【選択図】　図１
2004036375.tif 000002
【特許請求の範囲】
【請求項１】
既存の住宅の開口枠に取付けるリフォーム用のドアであって、分割されたパネル、框、モール、エッジ材等からキットドアを構成し、
四方向に木芯を配し表面化粧板を貼り合わせたパネルの縁部と、前記パネルの差込み部を有する框の縁部と、モール、エッジ材等を前記の開口枠に合わせてカットせしめ、
前記框にハンドル、丁番、明かり取り等の切削加工と取付けをなさしめた後、前記框の差込み部へ前記パネルを差し込み接合一体化せしめ、モール、エッジ材等の装飾を固着せしめてドアを形成したことを特徴としたキットドア。
【請求項２】
前記モールは框に差し込まれたパネルと框の双方に接合固定され補強材を構成することを特徴とした請求項１のキットドア。
【発明の詳細な説明】
【０００１】
【産業上の利用分野】
本発明は、住宅のリフォーム用のドアに関し、具体的には現場で既存の開口枠に合わせて形成し、組付けることができる現場施行の可能なキットドアに関する。
【０００２】
【従来の技術】
従来、住宅におけるリフォーム用のドアの施行においては、リフォームする現場において枠寸法とか開口寸法を採寸し、これを持ち帰りその寸法に合わせて作業場にてそれぞれの建具をカットし、組み立て形成して現場に持ち込み取付け施行しているのが主に用いられている施行方法であった。
リフォームの現場においては、形成されたドアを既存の開口部に対して高さや幅を調整したり、柱や敷居及び鴨居の直角角度の狂いに合わせて嵌め具合を調整したりする許容度が極めて少なく現実的でないのが実状である。
【０００３】
【発明が解決しようとする課題】
上記のようにリフォーム現場でのドアの取り替え施行は難しく、現状では前述したように現地で採寸してそれに合わせて建具屋で作成しているためリードタイムが多くかかることと、微妙な寸法調整が困難な場合も多く、時に採寸に合わせて作成してたドアであってもどうしても細部が異なり使用することができないことも発生していた。
【０００４】
本発明はこのような欠点に鑑み、リフォーム現場で開口寸法に合わせて職人が建具をカットして簡単に取付け施行できるドアを提供することを目的として開発されたものである。
【０００５】
【課題を解決するための手段】
本発明を図面によって説明すると図３に示すように、既存の住宅の開口枠に取付けるリフォーム用のドアであって、図１に示すようにパネル１、框２、モール３、エッジ材４等からなる各パーツに分割されたキットドアとし、図２に示すようにパネル１は四方向に木芯１１を配し表面化粧板１２を貼り合わせて形成されており、そのパネル１の縁部と、図４に示すように前記パネル１の差込み部２１を有する框２の縁部と、モール３、エッジ材４等を既存の住宅の開口枠に合わせてそれぞれカットせしめ、前記框２に図３に示すようにハンドル５、兆番６、明かり取り７等の切削加工とそれらの取付けをなした後、前記框２の差込み部２１へ前記パネル１を差し込み接合一体化せしめ、モール３、エッジ材４等の装飾材とか車輪取付け具などを取付けてドアを形成し、既存の住宅の開口枠に取付けることを特徴としている。
なお、前記モール３は框２に差し込まれたパネル１と框２の双方に接合固定され補強材を構成することも特徴としている。
【０００６】
【発明の実施の形態】
以下に本発明を図面に基づき詳述すると、図１は本発明のキットドアの各パーツを示した斜視図である。図２はパネルを示した分解図である。図３はキットドアの完成図である。図４は框の一実施例である。図５はパネルと框をモールで取付けた実施例の断面図である。
【０００７】
本発明のキットドアは、多数のパーツに分割されたパネル１、框２、モール３、エッジ材４等からなっており、その組み立て方法によれば、リフォームする現場においてパネル１と、框２と、モール３、エッジ材４等を既存の住宅の框枠にぴったりと合わせてカットせしめ、その後前記框２に図３に示すようにハンドル５、兆番６、明かり取り７等の切削加工とそれらの取付け（これらの不要な場合は設けない）をなして、前記框２とパネル１とを接合一体化せしめキットドアを完成する。（ここでのエッジ材４、ハンドル５、兆番６、あるいは明かり取り７等は不要な場合も有り得、本発明の必須の構成材となるものでない。）
【０００８】
【実施例】
本発明を実施するに、ここで用いたパネル１は、図２に示すように該パネル１を構成する四方向に配した木芯１１の両面に表面化粧板１２を貼り合わせて形成する。
一方框２には、図４に示すように前記パネル１の差込み部２１を設けており、ハンドル５、兆番６、明かり取り７等のいずれかの切削加工を現場にて作業する必要が無い場合は予め形成しておく。
現場での施行作業は、框の寸法とパネルの寸法を開口部の採寸の後決定してカット（パネル１の木芯１１の範囲内で切断）し、前記框２に必要な切削加工を施しておく。
この後、前記框２の差込み部２１へパネル１を嵌め込み接合し、適正寸法に切断したモール３を框２とパネル１との双方に接合固定せしめその繋ぎ部が強固に固定される。
その後必要なら框２の側縁部へエッジ材４を配備し外部からの衝撃とかドアの歪みなどに対処せしめる。
【０００９】
ここでのモール３はドアの補強材として重要な作用を発揮し得る部材となるので、パネル１と框２の双方に強固に接合固定されることが肝要で、例えば図５に示すように前記パネル１と前記框２の両方に広面積をもって跨り接着剤を介して貼り付け形成する構造が採用できる。
【００１０】
このようにして図３に示すように形成されたキットドアの装着においては、リフォームすべき住宅の框枠に前記ぴったり採寸されて形成されたドアを嵌め込み、丁番６等のビス止めによって取付けを完了せしめる。
【００１１】
【発明の効果】
上記のように本発明のキットドアは、リフォーム現場で開口寸法に合わせて職人が建具をカット調整してぴったりと合ったドアを取付け形成できるもので、多数の分割パーツのカット組み付けによりこれが実現される。
また、框２には付属する部品等の取付けも簡単でこれが組付け前に現場においてなされるので極めて効率的で作業性に優れたものとなっている。
また、強度的にはパネル１を支える框２とこれらの双方に渡って固着されるモール３によって補強材として十分な強度を確保している。
【図面の簡単な説明】
【図１】本発明のパーツの実施例を示す斜視図である。
【図２】本発明のパネルの組立前の状態を示す斜視図である。
【図３】本発明のドアを示す斜視図である。
【図４】本発明の框を示す斜視図である。
【図５】本発明のドアの取付け構造を示す断面図である。
【符号の説明】
１　　パネル
１１　木芯
１２　表面化粧板
２　　框
２１　差込み部
３　　モール
４　　エッジ材
５　　ハンドル
６　　丁番
７　　明かり取り
【図１】
2004036375.tif 000003
【図２】
2004036375.tif 000004
【図３】
2004036375.tif 000005
【図４】
2004036375.tif 000006
【図５】
2004036375.tif 000007